(57)【要約】【課題】  電源コードを容易に収容可能な電気掃除機を提供することである。【解決手段】  底部にキャスターが取り付けられ集塵室と空気流吸引用電動送風機を内蔵する本体ケースと、該空気流吸引用電動送風機に接続された電源コードと、を備えた電気掃除機において、該本体ケースは先端を上端とした円錐形状の電源コード巻回部を有しており、該電源コード巻回部に該電源コードを巻きつけて該電源コードを収容可能であることを特徴とする。【選択図】図３
2016168168.tif 000002
【特許請求の範囲】
【請求項１】
底部にキャスターが取り付けられ集塵室と空気流吸引用電動送風機を内蔵する本体ケースと、該空気流吸引用電動送風機に接続された電源コードと、を備えた電気掃除機において、
該本体ケースは先端を上端とした円錐形状の電源コード巻回部を有しており、該電源コード巻回部に該電源コードを巻きつけて該電源コードを収容可能であることを特徴とする電気掃除機。
【請求項２】
該電源コード巻回部の上端は把持部になっており、作業者は該把持部を把持して該電気掃除機を移動可能であることを特徴とする請求項１記載の電気掃除機。
【発明の詳細な説明】
【技術分野】
【０００１】
本発明は、業務用の電気掃除機に関する。
【背景技術】
【０００２】
家庭用の電気掃除機は、一般的に掃除機本体に自動巻き取り式の電源コード巻き取り部が形成されており、この電源コード巻き取り部内に電源コードを自動で巻き取ることができる。
【０００３】
自動巻き取り機能は便利ではあるが、使用を重ねるうちに巻き取り機能が十分に機能しなくなることが往々にしてあり、巻き取れなくなった電源コードを手で巻いて掃除機本体の傍らにおいて使用する場合がある。
【０００４】
一方、業務用の電気掃除機の場合には、電源コードが長尺になるため、電源コードの巻き取り機能や収容部がないタイプが一般的である（例えば、特開平６−１８１８７１号公報参照）。
【先行技術文献】
【特許文献】
【０００５】
【特許文献１】特開平６−１８１８７１号公報
【発明の概要】
【発明が解決しようとする課題】
【０００６】
上述したように、業務用の電気掃除機の場合には、電源コードの巻き取り機能や収容部がないタイプが多いため、電源コードをいかにして収容するかが問題となる。
【０００７】
本発明はこのような点に鑑みてなされたものであり、その目的とするところは、電源コードを容易に収容可能な電気掃除機を提供することである。
【課題を解決するための手段】
【０００８】
本発明によると、底部にキャスターが取り付けられ集塵室と空気流吸引用電動送風機を内蔵する本体ケースと、該空気流吸引用電動送風機に接続された電源コードと、を備えた電気掃除機において、該本体ケースは先端を上端とした円錐形状の電源コード巻回部を有しており、該電源コード巻回部に該電源コードを巻きつけて該電源コードを収容可能であることを特徴とする電気掃除機が提供される。
【０００９】
好ましくは、電源コード巻回部の上端は把持部になっており、作業者は該把持部を把持して電気掃除機を容易に移動させることができる。
【発明の効果】
【００１０】
本発明の電気掃除機によると、空気流吸引用電動送風機を内蔵した本体ケースが円錐形状の電源コード巻回部を有しているため、掃除機の非使用時に電源コードを該電源コード巻回部に巻きつけて容易に電源コードを収容することができる。
【００１１】
巻回部に巻きつけられた電源コードを伸ばす際は、電コードの端部を引くことでダストケースが回転するので容易に電源コードを引き出すことができる。更には、電源コードを巻回部の先端把持部を把持しつつ掃除機を移動することができるため、掃除機をかがんで押すような動作が不要なので掃除機の移動が容易である。
【図面の簡単な説明】
【００１２】
【図１】本発明実施形態に係る電気掃除機の斜視図である。
【図２】ダストケースに対して送風機ケースを開いた状態の電気掃除機の斜視図である。
【図３】図３（Ａ）は電源コードを電源コード巻回部に巻きつけている状態を示す模式的斜視図、図３（Ｂ）は巻回部に巻き取られた電源コードを引き延ばす状態を説明する模式的斜視図である。
【図４】作業者が把持部を把持して電機掃除機を移動している状態の模式的斜視図である。
【発明を実施するための形態】
【００１３】
以下、本発明の実施形態を図面を参照して詳細に説明する。図１を参照すると、本発明実施形態に係る電気掃除機１０の斜視図が示されている。電気掃除機１０は業務用の電気掃除機であり、図示しない空気流吸引用電動送風機を内蔵する送風機ケース１２と、内部に集塵室２４を形成し該集塵室２４内に図示しないフィルターを着脱自在に取り付け可能なダストケース１４とを含む本体ケースを備えている。
【００１４】
図２に示すように、送風機ケース１２はダストケース１４に対して開閉自在に取り付けられている。ダストケース１４の底部にはキャスター１６が取り付けられている。ダストケース１４の側面にはホース１８の一端が接続されており、ホース１８の他端（先端）にはヘッド２０が着脱可能に取り付けられている。
【００１５】
送風機ケース１２は略円錐形状をしており、この円錐形状により電源コード巻回部１２ａが形成されている。電源コード巻回部１２ａの上端は作業者が把持する把持部１２ｂになっている。
【００１６】
電源コード２２の一端は送風機ケース１２内に収容された空気流吸引用電動送風機に接続されており、他端はプラグ３０に接続されている。電気掃除機１０の非使用時には、電源コード２２を送風機ケース１２の電源コード巻回部１２ａに巻きつけて電源コード２２を容易に収容することができる。図１に示した実施形態では、送風機ケース１２は略円錐形状をしているが、送風機ケース１２の把持部１２ｂを水平に切断した円錐台形状であってもよい。
【００１７】
図２に示すように、ダストケース１４により画成された集塵室２４内には、図示しないフィルターが着脱可能に取り付けられる。送風機ケース１２の底部には網２６が配設されている。特に図示しないが、送風機ケース１２にはフィルターで濾過された後のエアを排出するフィルターを有する排気口が設けられている。
【００１８】
プラグ３０をコンセントに接続して空気流吸引用電動送風機を作動すると、床に散乱しているごみ、塵、水分等がヘッド２０で吸引されてホース１８を介してダストケース１４内に収容されたフィルターで濾過され、フィルターで濾過されたエアが送風機ケース１２の排気口から排出される。
【００１９】
集塵室２４内に収容されたフィルターがごみ、塵等で満杯になった場合には、図２に示すように、送風機ケース１２をダストケース１４に対して開けて、ダストケース１４内のフィルターを交換する。
【００２０】
清掃作業が終了すると、図３（Ａ）に示すように、作業者２８が送風機ケース１２の電源コード巻回部１２ａに電源コード２２を巻きつけて収容する。電源コード巻回部１２ａが円錐形状をしているため、作業者２８は電源コード２２を電源コード巻回部１２ａに容易に巻きつけて収容することができる。
【００２１】
電源コード巻回部１２ａに巻きつけられて収容された電源コードを引き延ばす際には、図３（Ｂ）に示すように、プラグ３０が接続された側の電源コード２２の端部を引くことによりダストケース１４及び送風機ケース１２がキャスター１６により回転するので、容易に電源コード２２を引き出すことができる。
【００２２】
電気掃除機１０を移動する際には、図４に示すように、作業者２８が送風機ケース１２の把持部１２ｂを把持して電機掃除機１０を押したり引いたりすることにより、作業者２８は立ったままの姿勢で電気掃除機１０を容易に移動することができる。
【００２３】
送風機ケース１２が略円錐形状に形成され、電源コード巻回部１２ａを構成する例を説明したが、これに限らず、送風機ケースとダストケースが横方向に連結して本体ケースを構成する電気掃除機の場合もあり、その場合、本体ケース上部に略円錐形状の電源コード巻回部が設置されていても良い。
【符号の説明】
【００２４】
１０    電気掃除機
１２    送風機ケース
１２ａ    電源コード巻回部
１２ｂ    把持部
１４    ダストケース
１６    キャスター
１８    ホース
２０    ヘッド
２２    電源コード
２４    集塵室
２６    網
２８    作業者
３０    プラグ
【図１】
2016168168.tif 000003
【図２】
2016168168.tif 000004
【図３】
2016168168.tif 000005
【図４】
2016168168.tif 000006